(57)【要約】【課題】種々のユーザに対してマッサージ効果が高いエアマッサージ装置を提供することにある。また、他の目的とするところは、既存の車両に対しても、座席を交換することなく適用することができるエアマッサージ装置を提供する。【解決手段】マット部２内の略中央には、側断面視が略かまぼこ状の第１エアセル１１が配設してあり、第１エアセル１１よりマット部２の他短辺側には、第１エアセル１１の長さ寸法より少し小さい長さ寸法の第２エアセル１２が、その一部が第１エアセル１１と重畳するように配設してある。給電コード８を介して、給排気機７及び制御器９に給電した後、制御器９を操作して、給排気機７を作動させて第１及び／又は第２エアセル１１，１２に対して給排気を行う一方、この給排気動作と共に又は給排気動作とは別にシート状ヒータ１３に給電してシート状ヒータ１３による加温を行う。【選択図】　　　　　図１
2004121279.tif 000002
【特許請求の範囲】
【請求項１】
吸排気によって膨張・収縮するエアセルと、該エアセルを内蔵するシート状部材と、前記エアセルに対して給排気を行う給排気機と、該給排気機によるエアセルの給排気を制御する制御器とを備えるエアマッサージ装置において、
前記シート状部材には、これを座席に取り付けるための取付部が設けてあり、前記エアセルは、前記取付部によってシート状部材を座席に取り付けた場合、当該座席の背もたれ部に対向するように配置してあることを特徴とするエアマッサージ装置。
【請求項２】
前記シート状部材内のエアセルよりシート状部材の背面側に、給電により発熱する発熱体が前記エアセルに対向配置してある請求項１記載のエアマッサージ装置。
【請求項３】
前記エアセルの一部又は全部は、給電により発熱する発熱体で形成してある請求項１記載のエアマッサージ装置。
【請求項４】
前記シート状部材内の前記発熱体よりシート状部材の正面側に、発熱体の発熱により遠赤外線を放射する遠赤外線放射部材が配置してある請求項２又は３記載のエアマッサージ装置。
【請求項５】
吸排気によって膨張・収縮するエアセルを内蔵する支持体と、該エアセルに対して給排気を行う給排気機と、該給排気機によるエアセルの給排気を制御する制御器とを備えるエアマッサージ装置において、
前記支持体のエアセルより支持体の背面側に、給電により発熱する発熱体が前記エアセルと対向するように埋設してあることを特徴とするエアマッサージ装置。
【請求項６】
吸排気によって膨張・収縮するエアセルを内蔵する支持体と、該エアセルに対して給排気を行う給排気機と、該給排気機によるエアセルの給排気を制御する制御器とを備えるエアマッサージ装置において、
前記エアセルの一部又全部は給電により発熱する発熱体で形成してあることを特徴とするエアマッサージ装置。
【請求項７】
前記支持体内の前記発熱体より支持体の正面側に、発熱体の発熱により遠赤外線を放射する遠赤外線放射部材が配置してある請求項５又は６記載のエアマッサージ装置。
【請求項８】
前記支持体は車両用座席の背もたれ部である請求項５、６又は７記載のエアマッサージ装置。
【請求項９】
前記発熱体はゴム及び炭素の混合材料を用いてなる請求項２から８のいずれかに記載のエアマッサージ装置。
【請求項１０】
複数のエアセルが並設してあり、前記制御器は前記給排気機に各エアセルに対して別個に給排気させるようにしてある請求項１から９のいずれかに記載のエアマッサージ装置。
【請求項１１】
隣り合う２つのエアセルは互いにその一部を重畳させてあり、前記制御器は前記給排気機に隣り合う両エアセルの給排気を交互に行わせるようにしてある請求項１０記載のエアマッサージ装置。
【発明の詳細な説明】
【０００１】
【発明の属する技術分野】
本発明は、主に車両用座席に適用するエアマッサージ装置に関する。
【０００２】
【従来の技術】
図６はマッサージ機能を内蔵する座席を備える従来のマッサージ装置を示す側断面図であり、かかるマッサージ装置は後記する特許文献１に開示されている。座席６０はユーザが着座する座部６１と、ユーザが背もたれる背もたれ部６２とを備えており、背もたれ部６２はリクライニング可能にしてある。背もたれ部６２のユーザの背中から腰が当接する部分内には、背もたれ部６２のユーザが背もたれる側の表皮６２ａに対向して、バネ５３，５３で背面支持された矩形状のエアバック５１が埋設してあり、エアバック５１内には適宜の弾性を有するように空気が充填してある。
【０００３】
エアバック５１の背面にはきのこ形状をしたヘッド５２が頭部をエアバック５１に対向させて進退自在に横設してある。ヘッド５２の脚側端部には側面視が正三角形状のカム５４が転接しており、カム５４は図示しないモータによって駆動される駆動軸５５に軸支されている。駆動軸５５の駆動にてカム５４が回動することによって、ヘッド５２がエアバッグ５１及び表皮６２ａをヘッド５２の頭部の形状と略同じ形状に変形させつつ前進し、座部６１に着座したユーザの背中から腰にかかる領域を押圧し、更にカム５４が回動することによって、エアバック５１及び表皮６２ａが復元しつつヘッド５２が後退する。このように、駆動軸５５によるカム５４の回転に伴ってヘッド５２が進退し、繰り返しユーザを押圧する。
【０００４】
【特許文献１】
実開平１−１４４０１７号公報（第２図（ｂ））
【０００５】
【発明が解決しようとする課題】
しかしながら、このような従来のマッサージ装置にあっては、形状が定められたヘッド５２を背もたれ部６２内の所定位置に配置し、これを進退させてユーザを押圧するため、身体上のサイズが異なる種々のユーザに的確に対応することができないという問題があった。また、押圧しか与えることができないため、ユーザに対するマッサージ効果が低いという問題もあった。一方、座席６０にマッサージ機能が内蔵されているため、既存の車両にあってはその座席を交換しなければならないという問題もあった。
【０００６】
本発明はかかる事情に鑑みてなされたものであって、その目的とするところは、種々のユーザに対してマッサージ効果が高いエアマッサージ装置を提供することにある。また、他の目的とするところは、既存の車両に対しても、座席を交換することなく適用することができるエアマッサージ装置を提供することにある。
【０００７】
【課題を解決するための手段】
請求項１記載の発明は、吸排気によって膨張・収縮するエアセルと、該エアセルを内蔵するシート状部材と、前記エアセルに対して給排気を行う給排気機と、該給排気機によるエアセルの給排気を制御する制御器とを備えるエアマッサージ装置において、前記シート状部材には、これを座席に取り付けるための取付部が設けてあり、前記エアセルは、前記取付部によってシート状部材を座席に取り付けた場合、当該座席の背もたれ部に対向するように配置してあることを特徴とする。
【０００８】
請求項２記載の発明は、前記シート状部材内のエアセルよりシート状部材の背面側に、給電により発熱する発熱体が前記エアセルに対向配置してあることを特徴とする。
【０００９】
請求項３記載の発明は、前記エアセルの一部又は全部は、給電により発熱する発熱体で形成してあることを特徴とする。
【００１０】
請求項４記載の発明は、前記シート状部材内の前記発熱体よりシート状部材の正面側に、発熱体の発熱により遠赤外線を放射する遠赤外線放射部材が配置してあることを特徴とする。
【００１１】
請求項５記載の発明は、吸排気によって膨張・収縮するエアセルを内蔵する支持体と、該エアセルに対して給排気を行う給排気機と、該給排気機によるエアセルの給排気を制御する制御器とを備えるエアマッサージ装置において、前記支持体のエアセルより支持体の背面側に、給電により発熱する発熱体が前記エアセルと対向するように埋設してあることを特徴とする。
【００１２】
請求項６記載の発明は、吸排気によって膨張・収縮するエアセルを内蔵する支持体と、該エアセルに対して給排気を行う給排気機と、該給排気機によるエアセルの給排気を制御する制御器とを備えるエアマッサージ装置において、前記エアセルの一部又全部は給電により発熱する発熱体で形成してあることを特徴とする。
【００１３】
請求項７記載の発明は、前記支持体内の前記発熱体より支持体の正面側に、発熱体の発熱により遠赤外線を放射する遠赤外線放射部材が配置してあることを特徴とする。
【００１４】
請求項８記載の発明は、前記支持体は車両用座席の背もたれ部であることを特徴とする。
【００１５】
請求項９記載の発明は、前記発熱体はゴム及び炭素の混合材料を用いてなることを特徴とする。
【００１６】
請求項１０記載の発明は、複数のエアセルが並設してあり、前記制御器は前記給排気機に各エアセルに対して別個に給排気させるようにしてあることを特徴とする。
【００１７】
請求項１１記載の発明は、隣り合う２つのエアセルは互いにその一部を重畳させてあり、前記制御器は前記給排気機に隣り合う両エアセルの給排気を交互に行わせるようにしてあることを特徴とする。
【００１８】
【発明の実施の形態】
本発明では、エアセルを内蔵するシート状部材に設けた取付部によって、該シート部材を座席に取り付ける。従って、車両用の座席等、既存の座席に後付けすることができる。このとき、シート部材が内蔵するエアセルは、取り付けた座席の背もたれ部に対向するように配置させてあり、このエアセルの膨張・収縮によってユーザに対して面状にマッサージを行うため、種々のユーザに対して安全にマッサージを行うことができる。更に、エアセルを膨張・収縮によってマッサージを行うため、押圧効果の外に伸ばし効果が加わり、高いマッサージ効果を得ることができる。
【００１９】
また、本発明では、シート状部材内のエアセルよりシート状部材の背面側に、エアセルに対向配置した発熱体に給電してこれを発熱させる。これによって、温熱によるマッサージ効果も加わり、更に高いマッサージ効果を得ることができる。また、冬季ではシートヒータとして用いることができる。一方、発熱体は、シート状部材内のエアセルよりシート状部材の背面側に、エアセルに対向配置してあるため、エアセルの膨張・収縮の程度を調整することによって、発熱体とユーザとの間の距離を変更することができる。これによって、発熱体の出力変更手段を設けることなく、発熱体の発熱によるユーザへの加温の程度を調整することができる。
【００２０】
更に、本発明では、一部又は全部が発熱体で形成してあるエアセルに給電してこれを発熱させる。エアセルのユーザに対向する部分とは反対側の部分が発熱体で形成してある場合、前同様、エアセルの膨張・収縮の程度を調整することによって、発熱体とユーザとの間の距離を変更することができるため、発熱体の出力変更手段を設けることなく、発熱体の発熱によるユーザへの加温の程度を調整することができる。また、発熱体をエアセルとは別に装備する必要がないため、部品数を低減させることができる。
【００２１】
一方、エアセルのユーザに対向する部分が発熱体で形成してある場合、発熱体とユーザとの間の距離が緊密になり、発熱体による温熱マッサージ効果が高い。また、エアセルの全部が発熱体で形成してある場合、ユーザへの温熱効果が高いのに加えて、エアセルの膨張・収縮によって温熱効果を調整することができる。
【００２２】
また、本発明では、発熱体に給電してこれを発熱させ、シート状部材内の発熱体よりシート状部材の正面側に配置してある遠赤外線放射部材から遠赤外線を放射させる。従って、効率的に遠赤外線を放射するこができ、より高いマッサージ効果を得ることができる。
【００２３】
一方、本発明では、座席の背もたれ部又はベッド等の支持体に埋設したエアセルの膨張・収縮によってマッサージを行うと共に、支持体のエアセルより支持体の背面側に埋設した発熱体に給電することにより温熱マッサージを行う。これによって、温熱によるマッサージ効果も加わり、更に高いマッサージ効果を得ることができる。また、冬季ではシートヒータとして用いることができる。一方、エアセルの膨張・収縮の程度を調整することによって、発熱体と支持体に支持されるユーザとの間の距離を変更することができる。これによって、発熱体の出力変更手段を設けることなく、発熱体の発熱によるユーザへの加温の程度を調整することができる。
【００２４】
また、本発明では、支持体に埋設してあり、一部又全部が発熱体で形成してあるエアセルの発熱体に給電してこれを発熱させる。エアセルのユーザに対向する部分とは反対側の部分が発熱体で形成してある場合、エアセルの膨張・収縮の程度を調整することによって、発熱体とユーザとの間の距離を変更することができるため、発熱体の出力変更手段を設けることなく、発熱体の発熱によるユーザへの加温の程度を調整することができる。また、発熱体をエアセルとは別に装備する必要がないため、部品数を低減させることができる。一方、エアセルのユーザに対向する部分が発熱体で形成してある場合、発熱体とユーザとの間の距離が緊密になり、発熱体による温熱マッサージ効果が高い。また、エアセルの全部が発熱体で形成してある場合、ユーザへの温熱効果が高いのに加えて、エアセルの膨張・収縮によって温熱効果を調整することができる。
【００２５】
また、本発明では、発熱体に給電してこれを発熱させ、支持体内の発熱体より支持体の正面側に配置した遠赤外線放射部材から遠赤外線を放射させる。従って、効率的に遠赤外線を放射するこができ、より高いマッサージ効果を得ることができる。
【００２６】
更に、本発明では、支持体が車両用の座席の背もたれ部であるため、例えば運転の休息中、前同様に効果が高いマッサージを安全に行うことができる。
【００２７】
ところで、本発明では、発熱体はゴム及び炭素の混合材料を用いてなるため、可撓性を有する薄い発熱体を容易に形成することができ、また、遠赤外線効果を得ることができる。これによって、更に高いマッサージ効果を得ることができる。
【００２８】
一方、本発明では、並設された複数のエアセルに対して給排気機が別個に給排気する。従って、例えば、ユーザの背中が当接する部分及び腰が当接する部分にエアセルをそれぞれ配置しておくことによって、所要の部位を効果的にマッサージすることができる。
【００２９】
また、本発明では、隣り合う２つのエアセルは互いにその一部を重畳させてあり、給排気機は制御器によって両エアセルの給排気を交互に行う。従って、一方のエアセルの排気中に他方のエアセルが吸気され、エアセルによるマッサージを効果的に行うことができると共に、他方のエアセルの重畳した部分が膨張することによって、一方のエアセルの排気が促進され、膨張・収縮のサイクルを短くすることができる。
【００３０】
【実施例】
以下、本発明の内容を図面に基づいて詳述する。
（実施例１）
図１は実施例１に係るエアマッサージ装置の使用態様を示す模式的側断面図であり、図２はその外観斜視図である。車両用の座席２０は、ユーザが着座する座部２１、リクライニング式の背もたれ部２２、及び背もたれ部２２に着脱自在に取り付けた頭部２３を備えている。頭部２３の底部には、該頭部２３を支持する脚部２４（２４）が垂設してあり、背もたれ部２２の頭部２３に対向する部分に設けた受穴に、両脚部２４（２４）を挿入することによって頭部２３が背もたれ部２２に取り付けてある。
【００３１】
背もたれ部２２のユーザが背もたれる表面には、該表面より少し狭幅のシート状のエアマッサージ本体１が高さ方向の略全領域に渡って配置してある。エアマッサージ本体１は、難燃性繊維素材を用いてなる中空長方形状のマット部２を備えており、該マット部２の一短辺側に舌片状の取付部３が延設してある。この取付部３には幅方向へ所定距離を隔てて開設した複数対の取付用孔４，４、４，４、……が幅方向と直交する方向へ適宜の間隔で設けてあり、背もたれ部２２の高さ寸法に応じた一対の取付用孔４，４を選択して、当該取付用孔４，４内を前記頭部２３の脚部２４（２４）が貫通した状態で両脚部２４（２４）を前述した背もたれ部２２の受穴に挿入することによって、エアマッサージ本体１が座席２０に着脱自在に取り付けられている。
【００３２】
マット部２内の略中央には、側断面視が略かまぼこ状の第１エアセル１１が配設してあり、第１エアセル１１よりマット部２の他短辺側には、第１エアセル１１の長さ寸法より少し小さい長さ寸法の第２エアセル１２が、その一部が第１エアセル１１と重畳するように配設してある。
【００３３】
第１エアセル１１及び第２エアセル１２には、マット部２に接続固定すると共に複数の管を内蔵するエアホース６内の各管の一端がそれぞれ連結してあり、マット部２から延出したエアホース６の他端は、背もたれ部２２と座部２１との間隙を通って、座部２１の下方に設置したコンプレッサを備える給排気機７に接続してある。これによって、エアホース６は背もたれ部２２のリクライニング操作による引っ張り又は弛み等の影響を受けない。給排気機７には給電コード８が接続してあり、給電コード８は車両に設けてあるシガレット用プラグ（図示せず）に差込可能にしてある。
【００３４】
ところで、前述した第２エアセル１２の背もたれ部２２側、即ちマット部２の第２エアセル１２よりマット部２の背面側には、可撓性のシート状ヒータ１３が貼着してある。エアホース６内にはこのシート状ヒータ１３及び給排気機７に接続したコード（図示せず）が配線してあり、該コードを介してシート状ヒータ１３に給電される。給排気機７には制御器９に連通するコードが接続してあり、該制御器９によって第１エアセル１１及び第２エアセル１２の膨張・収縮によるマッサージ動作、シート状ヒータ１３の加温によるマッサージ動作が制御される。
【００３５】
前述したシート状ヒータ１３としては、ゴム及び炭素の混練物をシート状に成型しその両側部に通電用の電極を設けてなる、例えばゴムカルボード（有限会社　ライフプランニング製）を用いることができる。これによって、弾性・可撓性を有する薄いシート状ヒータ１３を容易に形成することができ、また、ゴムカルボードによって遠赤外線効果を得ることができる。かかる遠赤外線は血行促進効果が高く、高いマッサージ効果を得ることができる。
【００３６】
このようなエアマッサージ装置にあっては、給電コード８をシガレット用プラグに差し込んで給排気機７及び制御器９に給電した後、制御器９を操作して、給排気機７を作動させて第１及び／又は第２エアセル１１，１２に対して給排気を行う一方、この給排気動作と共に又は給排気動作とは別にシート状ヒータ１３に給電して該シート状ヒータ１３による加温を行う。
【００３７】
制御器９には第１エアセル１１及び第２エアセル１２を交互に膨張・収縮させるおまかせコースが予め設定してあり、それとは別に、第１エアセル１１のみ膨張させるコース、第２エアセル１２のみ膨張させるコース、両エアセル１１，１２を収縮させるコースが選択し得るようになっており、更にこれらの各コースと重複して又は単独で、シート状ヒータ１３による加温を行うコースが選択し得るようになっている。
【００３８】
かかるエアマッサージ装置では、前述した如く、エアマッサージ本体１を取付部３に設けた所要の取付用孔４，４を選択して車両の座席２０に着脱自在に取り付けることができるため、既存する種々の座席に容易に後付けすることができる。また、第１エアセル１１及び第２エアセル１２を膨張・収縮させることによってユーザに対して面状にマッサージを行うため、種々のユーザに対して安全にマッサージを行うことができる。更に、両エアセル１１，１２の膨張・収縮によってマッサージを行うため、押圧効果の外に伸ばし効果が加わり、高いマッサージ効果を得ることができる。
【００３９】
また、第１エアセル１１及び第２エアセル１２はユーザの背中が当接する部分及び腰が当接する部分にそれぞれ配置してあるため、両部位を効果的にマッサージすることができる。更に、エアマッサージ本体１にシート状ヒータ１３が埋設してあるため、温熱によるマッサージ効果も加わり、更に高いマッサージ効果を得ることができる。また、冬季では座席ヒータとして用いることができる。
【００４０】
加えて、エアマッサージ本体１内の第２エアセル１　２より背もたれ部２２側に可撓性のシート状ヒータ１３が配置してあるため、第２エアセル１２の膨張・収縮の程度を調整することによって、シート状ヒータ１３とユーザとの間の距離を変更させることができる。これによって、シート状ヒータ１３の出力を一定にしたままで、シート状ヒータ１３の発熱によるユーザに対する加温の程度を調整することができる。
【００４１】
一方、第１及び第２エアセル１１，１２は互いにその一部を重畳させてあるため、制御器９によりおまかせコースを選択した場合、例えば第２エアセル１２の排気中に第１エアセル１１が吸気されるため、この第１エアセル１１の膨張によって第２エアセル１２の排気が促進される。これによってマッサージを効果的に行うことができると共に、両エアセル１１，１２の膨張・収縮のサイクルを短くすることができ、効率的なマッサージを行うことができる。
【００４２】
なお、本実施例では車両用の座席にエアマッサージ本体１を取り付けた場合について示してあるが、本発明はこれに限らず、背もたれ部を有する椅子、ソファ等に適用し得ることはいうまでもない。また、エアマッサージ本体１を床又はマットレス等の上に広げ、その上にユーザが寝そべるようにして使用することもできる。
【００４３】
また、本実施例では、第１エアセル１１及び第２エアセル１２がエアマッサージ本体１の長手方向に位置を異ならせて並設してあるが、本発明はこれに限らず、３個以上のエアセルをエアマッサージ本体１の面内の適宜の位置に埋設してもよい。これによって、更にマッサージ効果を向上させることができる。
【００４４】
（実施例２）
図３は本発明に係る他のエアマッサージ本体を示す正面透視図であり、第１エアセル１１及び第２エアセル１２の裏面にシート状ヒータ１３ａを配置した場合を示している。なお、図中、図１及び図２に示した部分に対応する部分には同じ番号を付してその説明を省略する。図３に示した如く、エアマッサージ本体１には環状の取付部３ａが設けてあり、該取付部３ａ内を前述した頭部２３の脚部２４（２４）が挿通する態様で、エアマッサージ本体１を座席２０（いずれも図１参照）に取り付けるようにしてある。
【００４５】
第１エアセル１１は正面視が長方形状をなしており、その短辺方向の中央線がエアマッサージ本体１の短辺方向の中央線上に位置し、エアマッサージ本体１の前述した取付部３ａ側端の近傍からエアマッサージ本体１の中央より少し他端側までの領域を占めるように配置してある。これによって、エアマッサージ本体１を座席に取り付けた場合、ユーザの背中の壺を効率的にマッサージすることができる。
【００４６】
また、第２エアセル１２も正面視が長方形状をなしており、エアマッサージ本体１の取付部３ａ側端とは反対側の端部近傍に、その短辺方向の中央線がエアマッサージ本体１の短辺方向の中央線と直交し、長辺側縁部の一部が第１エアセル１１と重畳するように配置してある。これによって、エアマッサージ本体１を座席に取り付けた場合、ユーザの腰部の壺を効率的にマッサージすることができる。
【００４７】
また、第１エアセル１１及び第２エアセル１２の裏面側には、第１エアセル１１及び第２エアセル１２が重畳した部分から第１エアセル１１及び第２エアセル１２の適宜領域に及ぶ長方形状のシート状ヒータ１３ａが配置してある。このシート状ヒータ１３ａは、図１に示したシート状ヒータ１３と異なり、シート内に埋設した導線１３０の電気抵抗により発熱するようになしてある。
【００４８】
従って、第１エアセル１１及び第２エアセル１２に対する給排気を各別に調整することによって、シート状ヒータ１３ａによるユーザの背中に対する加温の程度を高く維持しつつ、ユーザの腰部に対する加温の程度を整することがで、逆に、シート状ヒータ１３ａによるユーザの要部に対する加温の程度を高く維持しつつ、ユーザの背中に対する加温の程度を整することもでき、更にシート状ヒータ１３ａによるユーザの背中及び要部に対する加温の程度を同時的に調整することもできる。
【００４９】
（実施例３）
図４は本発明に係る他のエアセルを示す模式的側断面図であり、その一部を前述したシート状ヒータで形成してある。図４に示した如く、エアセルは２枚のシート状部材を重ね合わせ、その周囲を互いに貼り合わせて中空とした形状をしており、一方のエアセル皮部１５はナイロン／ポリウレタン製のシート状部材を、他方のエアセル皮部１６は例えばゴムカルボード製のシート状部材を用いてある。この他方のエアセル皮部１６に給電用の導線６ａが接続してある。更に、一方のエアセル皮部１５の表面に、加温により遠赤外線を放射する遠赤外線シート１７が貼着してある。
【００５０】
このようなエアセルが図１に示したエアマッサージ本体１内に、遠赤外線シート１７がユーザが背もたれる側とは反対側、即ちエアマッサージ本体１の正面側に位置するように配設してあるエアマッサージ装置にあっては、エアセルの一部が面状の発熱体で形成してあるため、導線６ａからの給電による発熱体の発熱による温熱効果によって高いマッサージ効果が得られると共に、部品点数を削減することができる。また、一方のエアセル皮部１５の表面に遠赤外線を放射する遠赤外線シート１７が配置してあるため、より効率的に遠赤外線を放射するこができ、より高いマッサージ効果を得ることができる。
【００５１】
また、エアセルの膨張・収縮の程度を調整することによって、発熱する他方のエアセル皮部１６とユーザとの間の距離を変更させることができ、これによって、他方のエアセル皮部１６の出力を一定にしたままで、他方のエアセル皮部１６の発熱によるユーザに対する加温の程度を調整することができる。
【００５２】
なお、本実施例では、他方のエアセル皮部１６をシート状ヒータで形成した場合について示してあるが、本発明はこれに限らず、一方のエアセル皮部１５又はエアセルの全部をシート状ヒータで形成してもよいことはいうまでもない。また、本実施例では遠赤外線シート１７を配置した場合について示してあるが、本発明はこれに限らず、遠赤外線シート１７を配置しなくてもよいことはいうまでもない。そのような場合であっても、ゴムカルボード製のシート状ヒータでエアセルの一部又は全部を形成した場合、前述した如く遠赤外線によるマッサージ効果を得ることができる。
【００５３】
（実施例４）
図５は実施例４に係るエアマッサージ装置を示す側断面図であり、車両用の座席にエアセルが埋設してある。なお、図中、図１に示した部分に対応する部分には同じ番号を付してその説明を省略する。図５に示した如く、座席２０の背もたれ部２２内であってユーザが背もたれる表面近傍には、第１エアセル１１、及びシート状ヒータ１３が前記表面側とは反対側に貼着してある第２エアセル１２がこの順に、ユーザの背中・腰が当接部分に対応する位置に、互いに一部を重畳させて配設してある。第１エアセル１１及び第２エアセル１２にはエアホース６内の各管の一端がそれぞれ連結してあり、各官の他端は給排気機７に接続してある。
【００５４】
このようなエアマッサージ装置にあっては、前同様、第１エアセル１１及び第２エアセル１２を膨張・収縮させることによってユーザに対して面状にマッサージを行うため、種々のユーザに対して安全にマッサージを行うことができる。更に、両エアセル１１，１２の膨張・収縮によってマッサージを行うため、押圧効果の外に伸ばし効果が加わり、高いマッサージ効果を得ることができる。
【００５５】
また、第１エアセル１１及び第２エアセル１２はユーザの背中が当接する部分及び腰が当接する部分にそれぞれ配置してあるため、両部位を効果的にマッサージすることができる。更に、第２エアセル１２の表面にシート状ヒータ１３が配置してあるため、温熱によるマッサージ効果も加わり、更に高いマッサージ効果を得ることができる。また、冬季では座席ヒータとして用いることができる。
【００５６】
加えて、エアマッサージ本体１内の第２エアセル１２より背もたれ部２２の表面とは反対側に可撓性のシート状ヒータ１３が配置してあるため、第２エアセル１２の膨張・収縮の程度を調整することによって、シート状ヒータ１３とユーザとの間の距離を変更させることができる。これによって、シート状ヒータ１３の出力を一定にしたままで、シート状ヒータ１３の発熱によるユーザに対する加温の程度を調整することができる。
【００５７】
一方、第１及び第２エアセル１１，１２は互いにその一部を重畳させてあるため、制御器９によりおまかせコースを選択した場合、例えば第２エアセル１２の排気中に第１エアセル１１が吸気されるため、この第１エアセル１１の膨張によって第２エアセル１２の排気が促進される。これによってマッサージを効果的に行うことができると共に、両エアセル１１，１２の膨張・収縮のサイクルを短くすることができ、効率的なマッサージを行うことができる。
【００５８】
なお、本実施例では車両用の座席に適用した場合について示してあるが、本発明はこれに限らず、マッサージチェア等に適用してもよいことはいうまでもない。更に、座席、ベッド及びマット等、ユーザたる被支持体を支持する支持体に適用し得る。
【００５９】
【発明の効果】
請求項１記載の発明によれば、エアセルを内蔵するシート状部材に設けた取付部によって、該シート部材を座席に取り付けるため、車両用の座席等、既存の座席に後付けすることができる。このとき、シート部材が内蔵するエアセルは、取り付けた座席の背もたれ部に対向するように配置させてあり、このエアセルの膨張・収縮によってユーザに対して面状にマッサージを行うため、種々のユーザに対して安全にマッサージを行うことができる。更に、エアセルを膨張・収縮によってマッサージを行うため、押圧効果の外に伸ばし効果が加わり、高いマッサージ効果を得ることができる。
【００６０】
また、請求項２記載の発明によれば、シート状部材内のエアセルよりシート状部材の背面側に、エアセルに対向配置した発熱体に給電してこれを発熱させるため、温熱によるマッサージ効果も加わり、更に高いマッサージ効果を得ることができる。また、冬季ではシートヒータとして用いることができる。一方、発熱体は、シート状部材内のエアセルよりシート状部材の背面側に、エアセルに対向配置してあるため、エアセルの膨張・収縮の程度を調整することによって、発熱体とユーザとの間の距離を変更することができる。これによって、発熱体の出力変更手段を設けることなく、発熱体の発熱によるユーザへの加温の程度を調整することができる。
【００６１】
更に、請求項３記載の発明によれば、一部又は全部が発熱体で形成してあるエアセルに給電してこれを発熱させるため、エアセルのユーザに対向する部分とは反対側の部分が発熱体で形成してある場合、前同様、エアセルの膨張・収縮の程度を調整することによって、発熱体とユーザとの間の距離を変更することができ、発熱体の出力変更手段を設けることなく、発熱体の発熱によるユーザへの加温の程度を調整することができる。また、発熱体をエアセルとは別に装備する必要がないため、部品数を低減させることができる。一方、エアセルのユーザに対向する部分が発熱体で形成してある場合、発熱体とユーザとの間の距離が緊密になり、発熱体による温熱マッサージ効果が高い。また、エアセルの全部が発熱体で形成してある場合、ユーザへの温熱効果が高いのに加えて、エアセルの膨張・収縮によって温熱効果を調整することができる。
【００６２】
また、請求項４記載の発明によれば、発熱体に給電してこれを発熱させ、シート状部材内の発熱体よりシート状部材の正面側に配置してある遠赤外線放射部材から遠赤外線を放射させるため、効率的に遠赤外線を放射するこができ、より高いマッサージ効果を得ることができる。
【００６３】
一方、請求項５記載の発明によれば、支持体に埋設したエアセルの膨張・収縮によってマッサージを行うと共に、支持体のエアセルより支持体の背面側に埋設した発熱体に給電することにより温熱マッサージを行うため、温熱によるマッサージ効果も加わり、更に高いマッサージ効果を得ることができる。また、冬季ではシートヒータとして用いることができる。一方、エアセルの膨張・収縮の程度を調整することによって、発熱体とユーザとの間の距離を変更することができる。これによって、発熱体の出力変更手段を設けることなく、発熱体の発熱によるユーザへの加温の程度を調整することができる。
【００６４】
また、請求項６記載の発明によれば、支持体に埋設してあり、一部又全部が発熱体で形成してあるエアセルの発熱体に給電してこれを発熱させるため、エアセルのユーザに対向する部分とは反対側の部分が発熱体で形成してある場合、エアセルの膨張・収縮の程度を調整することによって、発熱体と支持体に支持されたユーザとの間の距離を変更することができ、発熱体の出力変更手段を設けることなく、発熱体の発熱によるユーザへの加温の程度を調整することができる。また、発熱体をエアセルとは別に装備する必要がないため、部品数を低減させることができる。一方、エアセルのユーザに対向する部分が発熱体で形成してある場合、発熱体とユーザとの間の距離が緊密になり、発熱体による温熱マッサージ効果が高い。また、エアセルの全部が発熱体で形成してある場合、ユーザへの温熱効果が高いのに加えて、エアセルの膨張・収縮によって温熱効果を調整することができる。
【００６５】
また、請求項７記載の発明によれば、発熱体に給電してこれを発熱させ、支持体内の発熱体より支持体の正面側に配置した遠赤外線放射部材から遠赤外線を放射させるため、効率的に遠赤外線を放射するこができ、より高いマッサージ効果を得ることができる。
【００６６】
更に、請求項８記載の発明によれば、支持体は車両用座席の背もたれ部であるため、例えば運転の休息中、前同様に効果が高いマッサージを安全に行うことができる。
【００６７】
ところで、請求項９記載の発明によれば、発熱体はゴム及び炭素の混合材料を用いてなるため、可撓性を有する薄い発熱体を容易に形成することができ、また、遠赤外線効果を得ることができる。これによって、更に高いマッサージ効果を得ることができる。
【００６８】
一方、請求項１０記載の発明によれば、並設された複数のエアセルに対して給排気機が別個に給排気するため、例えば、ユーザの背中が当接する部分及び腰が当接する部分にエアセルをそれぞれ配置しておくことによって、所要の部位を効果的にマッサージすることができる。
【００６９】
また、請求項１１記載の発明によれば、隣り合う２つのエアセルは互いにその一部を重畳させてあり、給排気機は制御器によって両エアセルの給排気を交互に行うため、一方のエアセルの排気中に他方のエアセルが吸気され、エアセルによるマッサージを効果的に行うことができると共に、他方のエアセルの重畳した部分が膨張することによって、一方のエアセルの排気が促進され、膨張・収縮のサイクルを短くすることができる等、本発明は優れた効果を奏する。
【図面の簡単な説明】
【図１】実施例１に係るエアマッサージ装置の使用態様を示す模式的側断面図である。
【図２】実施例１に係るエアマッサージ装置の使用態様を示す外観斜視図である。
【図３】実施例２に係るエアマッサージ本体を示す正面透視図である。
【図４】本発明に係る他のエアセルを示す模式的側断面図である。
【図５】実施例４に係るエアマッサージ装置を示す側断面図である。
【図６】マッサージ機能を内蔵する座席を備える従来のマッサージ装置を示す側断面図である。
【符号の説明】
１　　　エアマッサージ本体
２　　　マット部
３　　　取付部
３ａ　　取付部
４　　　取付用孔
７　　　給排気機
８　　　給電コード
９　　　制御器
１１　　第１エアセル
１２　　第２エアセル
１３　　シート状ヒータ
１３ａ　シート状ヒータ
１７　　遠赤外線シート
２０　　座席
２２　　背もたれ部
１３０　導線
【図１】
2004121279.tif 000003
【図２】
2004121279.tif 000004
【図３】
2004121279.tif 000005
【図４】
2004121279.tif 000006
【図５】
2004121279.tif 000007
【図６】
2004121279.tif 000008